(57)【要約】【課題】空気清浄機の遠隔操作による弊害を低減するための技術を提供する。【解決手段】空気清浄機２００と、空気清浄機２００を制御するためのサーバ１００と、サーバ１００を介して空気清浄機２９９を遠隔制御するための端末３００と、を備える空気清浄システム１が提供される。空気清浄機２００の状態に応じて、端末３００から空気清浄機２００に対して可能な遠隔操作の種類が異なる。【選択図】図１
2019039570.tif 000002
【特許請求の範囲】
【請求項１】
空気清浄機と、
前記空気清浄機を制御するためのサーバと、
前記サーバを介して前記空気清浄機を遠隔制御するための端末と、を備える空気清浄システムであって、
前記空気清浄機の状態に応じて、前記端末から前記空気清浄機に対して可能な遠隔操作の種類が異なる、空気清浄システム。
【請求項２】
前記空気清浄機の運転開始時における、前記空気清浄機に対して可能な直接的操作の種類よりも、前記端末から前記空気清浄機に対して可能な遠隔操作の種類の方が少ない、請求項１に記載の空気清浄システム。
【請求項３】
前記空気清浄機の警告状態に応じて、前記端末から前記空気清浄機に対して可能な遠隔操作の種類が変わる、請求項１または２に記載の空気清浄システム。
【請求項４】
前記空気清浄機の周囲に人がいるか否かに応じて、前記端末から前記空気清浄機に対して可能な遠隔操作の種類が変わる、請求項１から３のいずれか１項に記載の空気清浄システム。
【請求項５】
前記空気清浄機の温度センサまたは湿度センサによって取得される測定結果に応じて、前記端末から前記空気清浄機に対して可能な遠隔操作の種類が変わる、請求項１から４のいずれか１項に記載の空気清浄システム。
【請求項６】
前記空気清浄機の照度センサによって取得される測定結果に応じて、前記端末から前記空気清浄機に対して可能な遠隔操作の種類が変わる、請求項１から５のいずれか１項に記載の空気清浄システム。
【請求項７】
現在の時刻に応じて前記端末から前記空気清浄機に対して可能な遠隔操作の種類が変わる、請求項１から６のいずれか１項に記載の空気清浄システム。
【発明の詳細な説明】
【技術分野】
【０００１】
本発明は、空気清浄機の技術に関し、特に端末から空気清浄機を遠隔操作するための技術に関する。
【背景技術】
【０００２】
従来から、空気清浄機を遠隔制御するための技術が知られている。たとえば、特開２０１７−１８３８１号公報（特許文献１）には、清浄システムが開示されている。特許文献１によると、清浄システムには、空気清浄機と掃除機とを含む。掃除機稼働状態検出部は掃除機の稼働状態を検出し、塵埃センサが空気中に含まれる浮遊粒子の量を検出する。空気清浄機は、掃除機稼働状態検出部が検出した掃除機の稼働状態と、塵埃センサの検出する浮遊粒子の量とに基づいて、掃除機が稼働している部屋と、空気清浄機が設置されている部屋とが同じであるかどうかを判断し、同じであると判断すると、空気清浄能力を高める。
【先行技術文献】
【特許文献】
【０００３】
【特許文献１】特開２０１７−１８３８１号公報
【発明の概要】
【発明が解決しようとする課題】
【０００４】
本発明の目的は、空気清浄機の遠隔操作による弊害を低減するための技術を提供することにある。
【課題を解決するための手段】
【０００５】
この発明のある態様に従うと、空気清浄機と、空気清浄機を制御するためのサーバと、サーバを介して空気清浄機を遠隔制御するための端末と、を備える空気清浄システムが提供される。空気清浄機の状態に応じて、端末から空気清浄機に対して可能な遠隔操作の種類が異なる。
【発明の効果】
【０００６】
以上のように、本発明によれば、空気清浄機の遠隔操作による弊害を低減することができる。
【図面の簡単な説明】
【０００７】
【図１】第１の実施の形態にかかる空気清浄システム１の全体構成と動作概要を示すイメージ図である。
【図２】第１の実施の形態にかかるスマートフォン３００の画面例を示すイメージ図である。
【図３】第１の実施の形態にかかるサーバ１００の構成の一態様について説明する。
【図４】第１の実施の形態にかかる制御命令データ１２１を示すイメージ図である。
【図５】第１の実施の形態にかかる空気清浄機管理データ１２２を示すイメージ図である。
【図６】第１の実施の形態にかかるサーバ１００における情報処理を示すフローチャートである。
【図７】第１の実施の形態にかかる空気清浄機２００の構成の一態様について説明する。
【図８】第１の実施の形態にかかるスマートフォン３００などの通信端末の構成の一態様について説明する。
【図９】第２の実施の形態にかかる空気清浄システム１の全体構成と動作概要を示すイメージ図である。
【図１０】第２の実施の形態にかかるスマートフォン３００の画面例を示すイメージ図である。
【図１１】第２の実施の形態にかかる警告時の遠隔操作の制限データ１２３を示すイメージ図である。
【図１２】第２の実施の形態にかかる制御命令データ１２１Ｂを示すイメージ図である。
【図１３】第２の実施の形態にかかる空気清浄機管理データ１２２Ｂを示すイメージ図である。
【図１４】第２の実施の形態にかかるサーバ１００における情報処理を示すフローチャートである。
【図１５】第３の実施の形態にかかる空気清浄システム１の全体構成と動作概要を示すイメージ図である。
【図１６】第３の実施の形態にかかるスマートフォン３００の第１の画面例を示すイメージ図である。
【図１７】第３の実施の形態にかかるスマートフォン３００の第２の画面例を示すイメージ図である。
【図１８】第３の実施の形態にかかるスマートフォン３００の第３の画面例を示すイメージ図である。
【図１９】第３の実施の形態にかかるスマートフォン３００の第４の画面例を示すイメージ図である。
【図２０】第３の実施の形態にかかる警告時の遠隔操作の制限データ１２３Ｂを示すイメージ図である。
【図２１】第３の実施の形態にかかるサーバ１００における情報処理を示すフローチャートである。
【図２２】第４の実施の形態にかかるスマートフォン３００の画面例を示すイメージ図である。
【図２３】第４の実施の形態にかかる警告時の遠隔操作の制限データ１２３Ｃを示すイメージ図である。
【図２４】第４の実施の形態にかかるサーバ１００における情報処理を示すフローチャートである。
【図２５】第５の実施の形態にかかるスマートフォン３００の画面例を示すイメージ図である。
【図２６】第５の実施の形態にかかる警告時の遠隔操作の制限データ１２３Ｃを示すイメージ図である。
【図２７】第６の実施の形態にかかる空気清浄システム１の全体構成と動作概要を示す第１のイメージ図である。
【図２８】第６の実施の形態にかかる空気清浄機２００における情報処理を示すフローチャートである。
【図２９】第６の実施の形態にかかる空気清浄システム１の全体構成と動作概要を示す第２のイメージ図である。
【図３０】第６の実施の形態にかかるスマートフォン３００などの通信端末における情報処理を示すフローチャートである。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜空気清浄システム１の全体構成と動作概要＞
【０００９】
まず、図１（Ｂ）を参照して、本実施の形態にかかる空気清浄システム１の全体構成について説明する。本実施の形態にかかる空気清浄システム１は、主に、サーバ１００と、インターネットやルータなどを介してサーバ１００に接続可能な空気清浄機２００と、インターネットやルータなどを介してサーバ１００に接続可能なスマートフォン３００などの通信端末などを含む。
【００１０】
本実施の形態においては、スマートフォン３００が、空気清浄機２００などの家電を制御するためのアプリケーションプログラムを取得する。また本実施の形態においては、通信端末の例としてスマートフォン３００を用いて説明を行うが、通信端末はスマートフォン３００には限られず、タブレット、ゲーム機、パーソナルコンピュータなどであってもよい。
【００１１】
次に、図１（Ａ）〜（Ｄ）を参照して、本実施の形態にかかる空気清浄システム１の動作概要について説明する。まず、図１（Ａ）に示すように、空気清浄機２００が運転ＯＦＦの状態において、ユーザが空気清浄機２００に直接的に運転ＯＮ命令を入力すると、空気清浄機２００が運転を開始する。
【００１２】
図１（Ｂ）に示すように、空気清浄機２００が運転ＯＦＦの状態において、ユーザが、スマートフォン３００の空気清浄機を遠隔制御するための家電制御アプリケーションプログラムに空気清浄機２００の運転ＯＮ命令を入力すると、当該アプリケーションプログラムはサーバ１００に空気清浄機２００の運転ＯＮ命令を送信する。本実施の形態においては、サーバ１００は、運転ＯＮ命令を空気清浄機２００に送信する。サーバ１００は、空気清浄機２００からの運転ＯＮが成功した旨の情報を受けると、スマートフォン３００に運転が開始された旨の情報を送信する。
【００１３】
図１（Ｃ）に示すように、空気清浄機２００が運転ＯＦＦの状態において、ユーザが空気清浄機２００に直接的におまかせ運転ＯＮ命令を入力すると、空気清浄機２００がおまかせ運転を開始する。
【００１４】
図１（Ｄ）に示すように、空気清浄機２００が運転ＯＦＦの状態において、ユーザが、家電制御アプリケーションプログラムに空気清浄機２００のおまかせ運転ＯＮ命令を入力すると、当該アプリケーションプログラムはサーバ１００に空気清浄機２００のおまかせ運転ＯＮ命令を送信する。本実施の形態においては、遠隔からのおまかせ運転ＯＮ命令が許可されていないため、サーバ１００は、おまかせ運転の開始の遠隔操作が許可されなかった旨の情報をスマートフォン３００に送信する。スマートフォン３００は、図２に示すように、おまかせ運転の開始の遠隔操作が許可されなかった旨の情報をディスプレイに表示する。
【００１５】
このように、本実施の形態においては、空気清浄機２００への直接的な命令の場合に許可される命令のうちの一部が、空気清浄機２００への遠隔操作の場合には許可されない。たとえば、風量が大きくなったり動作音声が大きくなったり、空気清浄機２００の近傍の人間が不快に感じる可能性がある操作命令は、遠隔からは受け付けない。以下、このような機能を実現するための空気清浄システム１の具体的な構成について詳述する。
＜サーバ１００のハードウェア構成＞
【００１６】
図３を参照して、本実施の形態にかかる空気清浄システム１を構成するサーバ１００のハードウェア構成の一態様について説明する。サーバ１００は、主たる構成要素として、ＣＰＵ（Central Processing Unit）１１０と、メモリ１２０と、ディスプレイ１３０と、操作部１４０と、時計１５０と、通信インターフェイス１６０とを含む。
【００１７】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００１８】
メモリ１２０は、各種のＲＡＭ（Random  Access  Memory）、各種のＲＯＭ（Read-Only  Memory）などによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、入力されたデータ、制御命令データ１２１、空気清浄機管理データ１２２、その他の本実施の形態にかかる家電管理サービスに利用されるデータベースなどを記憶する。なお、本実施の形態においては、これらのデータベースなどの情報がサーバ１００に格納されているが、それらの情報はサーバ１００がアクセス可能な他の装置に格納されてもよい。
【００１９】
図４は、本実施の形態にかかる制御命令データ１２１を示すイメージ図である。図４を参照して、本実施の形態にかかる制御命令データ１２１は、運転モード毎に、主に、運転モードＮｏ．と、運転モードの名称と、遠隔操作の可否などの対応関係を含む。なお、「風量  自動」とは一般的な自動運転であり、「お休み運転」は「風量  弱」よりも静かな運転であり、「おまかせ運転」は「風量  自動」よりも強力な自動運転であり、「パワフル運転」は「風量  強」よりも強力な運転であり、「効果実感運転」は短時間で空気清浄の効果を出すためにスタートからしばらく強力な運転を行うものである。
【００２０】
本実施の形態においては、風量が大きくなったり、動作音声が大きくなったり、空気清浄機２００の近傍の人間が不快に感じる可能性がある操作に関しては、遠隔操作では受け付けられないように設計されている。
【００２１】
より詳細には、本実施の形態においては、空気清浄機２００が運転ＯＮ時において、直接的な操作によって、おやすみ運転やおまかせ運転やパワフル運転や効果実感運転を実行できる。そして、空気清浄機２００が運転ＯＦＦ時においても、直接的な操作では、おやすみ運転やおまかせ運転によって空気清浄機２００の運転自体をＯＮすることができる。一方、空気清浄機２００が運転ＯＮ時においては、遠隔からの、おやすみ運転やおまかせ運転の命令は受け付けられる。しかしながら、空気清浄機２００が運転ＯＦＦ時においては、遠隔からのおまかせ運転命令によって空気清浄機２００の運転自体をＯＮにすることはできない。
【００２２】
図５は、本実施の形態にかかる空気清浄機管理データ１２２を示すイメージ図である。図５を参照して、本実施の形態にかかる空気清浄機管理データ１２２は、空気清浄機２００毎に、主に、空気清浄機２００のＩＤと、空気清浄機２００のユーザの名と、空気清浄機２００を遠隔制御可能なスマートフォン３００などの通信端末のＩＤなどの対応関係を含む。
【００２３】
図３に戻って、ディスプレイ１３０は、ＣＰＵ１１０からの信号に基づいて、テキストや画像を表示する。操作部１４０は、サービスの管理者などの命令を受け付けて、当該命令をＣＰＵ１１０に入力する。
【００２４】
時計１５０は、現在時刻をＣＰＵ１１０に入力したり、指定されたタイミングからの経過時間を計測したりする。
【００２５】
通信インターフェイス１６０は、ＣＰＵ１１０からのデータを、インターネット、キャリア網、ルータなどを介して、空気清浄機２００やスマートフォン３００などの他の装置に送信する。逆に、通信インターフェイス１６０は、インターネット、キャリア網、ルータなどを介して空気清浄機２００やスマートフォン３００などの他の装置からのデータを受信して、ＣＰＵ１１０に受け渡す。
＜サーバ１００における情報処理＞
【００２６】
次に、図６を参照しながら、本実施の形態にかかるサーバ１００における情報処理について説明する。サーバ１００のＣＰＵ１１０は、通信インターフェイス１６０を介して、スマートフォン３００からデータを受信すると以下の処理を実行する。
【００２７】
ＣＰＵ１１０は、受信したデータからスマートフォン３００などの通信端末のＩＤを取り出す（ステップＳ１１２）。ＣＰＵ１１０は、空気清浄機管理データ１２２を参照して、スマートフォン３００の制御対象の空気清浄機２００を特定する（ステップＳ１１４）。ＣＰＵ１１０は、受信したデータから、空気清浄機２００に対する命令を特定する（ステップＳ１１６）。
【００２８】
ＣＰＵ１１０は、制御命令データ１２１を参照して、受け付けた命令が遠隔操作として許可されているか否かを判断する（ステップＳ１２２）。受け付けた命令が遠隔操作として許可されている場合（ステップＳ１２２にてＹＥＳである場合）、ＣＰＵ１１０は、通信インターフェイス１６０を介して、制御対象の空気清浄機２００に当該命令を送信する（ステップＳ１２４）。この場合は、空気清浄機２００からの返信に基づいて、スマートフォン３００に制御命令が空気清浄機２００に無事に実行された旨を表示させることが好ましい。
【００２９】
一方、受け付けた命令が遠隔操作として許可されていない場合（ステップＳ１２２にてＮＯである場合）、ＣＰＵ１１０は、通信インターフェイス１６０を介して、スマートフォン３００に遠隔操作では実行不可能である旨の情報をスマートフォン３００に送信する（ステップＳ１２４）。この場合は、スマートフォン３００は、図２に示すように、入力された命令が遠隔操作では実行不可能である旨を出力する。
＜空気清浄機２００のハードウェア構成＞
【００３０】
図７を参照して、空気清浄システム１を構成する空気清浄機２００のハードウェア構成の一態様について説明する。本実施の形態にかかる空気清浄機２００は、主たる構成要素として、ＣＰＵ２１０と、メモリ２２０と、ディスプレイ２３０、操作部２４０と、時計（タイマ）２５０と、通信インターフェイス２６０と、各種センサ２７０と、赤外線受光部２８０と、機器駆動部２９０とを含む。
【００３１】
ＣＰＵ２１０は、メモリ２２０あるいは外部の記憶媒体に記憶されているプログラムを実行することによって、空気清浄機２００の各部を制御する。
【００３２】
メモリ２２０は、各種のＲＡＭ、各種のＲＯＭなどによって実現され、空気清浄機２００に内包されているものであってもよいし、空気清浄機２００の各種インターフェイスに着脱可能なものであってもよいし、空気清浄機２００からアクセス可能な他の装置の記録媒体であってもよい。メモリ２２０は、ＣＰＵ２１０によって実行されるプログラムや、ＣＰＵ２１０によるプログラムの実行により生成されたデータ、操作部２４０を介して入力されたデータ、リモコンから受信したデータ、ルータやインターネットを介してサーバ１００から受信したデータなどを記憶する。
【００３３】
ディスプレイ２３０は、ＣＰＵ２１０からの信号に基づいて、文字や画像などを出力する。なお、ディスプレイ２３０は、単にライトであってもよい。
【００３４】
操作部２４０は、ボタン、タッチパネルなどによって実現され、ユーザからの命令を受け付けて、当該命令をＣＰＵ２１０に入力する。なお、ディスプレイ２３０と操作部２４０とは、タッチパネルを構成してもよい。
【００３５】
時計２５０は、現在時刻をＣＰＵ２１０に入力したり、指定されたタイミングからの経過時間を計測したりする。
【００３６】
通信インターフェイス２６０は、無線ＬＡＮまたは有線ＬＡＮなどの通信モジュールによって実現される。通信インターフェイス２６０は、有線通信あるいは無線通信によって他の装置との間でデータをやり取りする。すなわち、ＣＰＵ２１０は、通信インターフェイス２６０を介して、サーバ１００などの他の装置から各種の情報を受信したり、当該他の装置に各種の情報を送信したりする。
【００３７】
各種センサ２７０は、たとえば、人感センサや温度センサや湿度センサや照度センサなどである。
【００３８】
赤外線受光部２８０は、リモコンなどからの赤外線信号を検知して、ＣＰＵ２１０に受信信号を入力する。たとえば、ＣＰＵ２１０は、赤外線受光部２８０を介して、リモコンから電源ＯＮ／ＯＦＦ命令、その他の制御命令や各種データなどを受け付ける。
【００３９】
機器駆動部２９０は、ＣＰＵ２１０からの信号に基づいて、電気機器の各部（モータやヒータなど）を制御する。たとえば、本実施の形態においては、ＣＰＵ２１０は、操作部２４０を介して、あるいは通信インターフェイス２６０を介してサーバ１００から、各種モードや風量や風向きやイオン発生などに関する命令を受け付けて、当該命令に基づいて機器駆動部２９０を制御する。
＜スマートフォン３００などの通信端末のハードウェア構成＞
【００４０】
図８を参照して、本実施の形態にかかるスマートフォン３００などの通信端末のハードウェア構成の一態様について説明する。スマートフォン３００は、主たる構成要素として、ＣＰＵ３１０と、メモリ３２０と、ディスプレイ３３０と、操作部３４０と、時計３５０と、通信インターフェイス３６０とを含む。
【００４１】
ＣＰＵ３１０は、メモリ３２０に記憶されているプログラムを実行することによって、スマートフォン３００の各部を制御する。たとえば、ＣＰＵ３１０は、メモリ３２０に格納されているプログラムを実行し、各種のデータを参照することによって、後述する各種の処理を実行する。
【００４２】
メモリ３２０は、各種のＲＡＭや各種のＲＯＭなどによって実現され、スマートフォン３００に内包されているものであってもよいし、スマートフォン３００の各種インターフェイスに着脱可能なものであってもよいし、スマートフォン３００からアクセス可能な他の装置の記録媒体であってもよい。メモリ３２０は、ＣＰＵ３１０によって実行される各種プログラム、たとえば家電制御アプリケーションプログラムや、ＣＰＵ３１０によるプログラムの実行により生成されたデータ、操作部３４０から入力されたデータ、その他の本実施の形態にかかる家電管理サービスに利用されるデータなどを記憶する。
【００４３】
ディスプレイ３３０は、ＣＰＵ３１０からの信号に基づいて、テキストや画像を表示する。操作部３４０は、ユーザなどの命令を受け付けて、当該命令をＣＰＵ３１０に入力する。ディスプレイ３３０と操作部３４０は、タッチパネルを構成してもよい。
【００４４】
時計３５０は、現在時刻をＣＰＵ３１０に入力したり、指定されたタイミングからの経過時間を計測したりする。
【００４５】
通信インターフェイス３６０は、ＣＰＵ３１０からのデータを、インターネット、キャリア網、ルータなどを介して、サーバ１００や空気清浄機２００などの他の装置に送信する。逆に、通信インターフェイス３６０は、インターネット、キャリア網、ルータなどを介して当該他の装置からのデータを受信して、ＣＰＵ３１０に受け渡す。たとえば、ＣＰＵ３１０は、空気清浄機制御アプリケーションプログラムに基づいて、通信インターフェイス３６０を介してサーバ１００から受信したデータに基づいてディスプレイ３３０に遠隔操作命令を受け付けるための画面を表示させたり、操作部３４０を介してユーザから受け付けた指示を通信インターフェイス３６０を介してサーバ１００に送信したり、通信インターフェイス３６０を介してサーバ１００から受信したデータに基づいてディスプレイ３３０に図２に示すような画像やテキストを表示したりする。
＜第２の実施の形態＞
【００４６】
第１の実施の形態においては、直接的な操作か遠隔からの操作かによって、また空気清浄機２００のＯＮ時とＯＦＦ時によって、受け付けられる操作の種類が決められていた。本実施の形態においては、さらに、空気清浄機２００の警告状態によって、遠隔から受け付けられる操作命令の種類が決められるものである。
【００４７】
図９（Ａ）〜（Ｄ）を参照して、本実施の形態にかかる空気清浄システム１の動作概要について説明する。まず、図９（Ａ）に示すように、空気清浄機２００が警告を発しているときに、ユーザが空気清浄機２００に直接的に運転ＯＦＦ命令を入力すると、空気清浄機２００が運転を停止する。
【００４８】
図９（Ｂ）に示すように、ユーザが、スマートフォン３００の空気清浄機を遠隔制御するためのアプリケーションプログラムに空気清浄機２００の運転ＯＦＦ命令を入力すると、当該アプリケーションプログラムはサーバ１００に空気清浄機２００の運転ＯＦＦ命令を送信する。サーバ１００は、空気清浄機２００が警告を発しているときでも、運転ＯＦＦ命令は空気清浄機２００に送信する。本実施の形態においては、サーバ１００は、空気清浄機２００からの運転ＯＦＦの情報を受けると、スマートフォン３００に運転が停止された旨の情報を送信する。
【００４９】
図９（Ｃ）に示すように、空気清浄機２００が警告を発しているときに、ユーザが空気清浄機２００に直接的に風量の変更命令を入力すると、空気清浄機２００が当該命令に基づいて風量を変更する。
【００５０】
図９（Ｄ）に示すように、ユーザが、スマートフォン３００の空気清浄機を遠隔制御するためのアプリケーションプログラムに空気清浄機２００に対する風量の変更命令を入力すると、当該アプリケーションプログラムはサーバ１００に空気清浄機２００に対する風量の変更命令を送信する。本実施の形態においては、空気清浄機２００が警告を発しているときの遠隔からの風量の変更命令が許可されていないため、サーバ１００は、風量の変更の遠隔操作が許可されなかった旨の情報をスマートフォン３００に送信する。スマートフォン３００は、図１０に示すように、風量の変更の遠隔操作が許可されなかった旨の情報をディスプレイに表示する。
【００５１】
より詳細には、本実施の形態においては、図１１に示すように、警告毎に、空気清浄機２００に対する遠隔操作が受け付けられない命令が規定される。
【００５２】
そして、図１２を参照して、本実施の形態にかかる制御命令データ１２１Ｂは、運転モード毎に、主に、運転モードＮｏ．と、運転モードの名称と、警告の種類毎の遠隔操作の可否などの対応関係を含む。
【００５３】
また、図１３を参照して、本実施の形態にかかる空気清浄機管理データ１２２Ｂは、空気清浄機２００毎に、主に、空気清浄機２００のＩＤと、空気清浄機２００のユーザの名と、空気清浄機２００を遠隔制御可能なスマートフォン３００などの通信端末のＩＤと、空気清浄機２００が発令中の警告の種類などの対応関係を含む。
【００５４】
次に、図１４を参照しながら、本実施の形態にかかるサーバ１００における情報処理について説明する。サーバ１００のＣＰＵ１１０は、通信インターフェイス１６０を介して、スマートフォン３００からデータを受信すると、以下の処理を実行する。なお、ステップＳ１１６までの処理は、第１の実施の形態のそれらと同様であるため、ここではそれらの説明を繰り返さない。
【００５５】
ステップＳ１１６の後、本実施の形態においては、ＣＰＵ１１０は、空気清浄機管理データ１２２Ｂを参照して、制御対象の空気清浄機２００が発令中の警告を特定する（ステップＳ１１８）。
【００５６】
ＣＰＵ１１０は、制御命令データ１２１Ｂを参照して、制御対象の空気清浄機２００が発令中の警告に基づいて、今回スマートフォン３００から受け付けた命令が遠隔操作として許可されているか否かを判断する（ステップＳ１２２Ｂ）。ステップＳ１２２Ｂ以降の処理は、第１の実施の形態のステップＳ１２２以降の処理と同様であるため、ここではそれらの説明を繰り返さない。
＜第３の実施の形態＞
【００５７】
本実施の形態においては、さらに、空気清浄機２００の各種のセンサによって測定される空気清浄機２００の状況に基づいて、遠隔から受け付けられる操作命令の種類が決められるものである。
【００５８】
図１５（Ａ）〜（Ｄ）を参照して、本実施の形態にかかる空気清浄システム１の動作概要について説明する。まず、図１５（Ａ）に示すように、空気清浄機２００の周囲が暗くても、空気清浄機２００の周囲に人がいても、空気清浄機２００の周囲の温度が低くても、空気清浄機２００の周囲の湿度が低くても、ユーザが空気清浄機２００に直接的に運転ＯＦＦ命令を入力すると、空気清浄機２００が運転を停止する。
【００５９】
図１５（Ｂ）に示すように、ユーザが、スマートフォン３００の空気清浄機を遠隔制御するためのアプリケーションプログラムに空気清浄機２００の運転ＯＦＦ命令を入力すると、当該アプリケーションプログラムはサーバ１００に空気清浄機２００の運転ＯＦＦ命令を送信する。サーバ１００は、空気清浄機２００の周囲が暗くても、空気清浄機２００の周囲に人がいても、空気清浄機２００の周囲の温度が低くても、空気清浄機２００の周囲の湿度が低くても、運転ＯＦＦ命令を空気清浄機２００に送信する。本実施の形態においては、サーバ１００は、空気清浄機２００からの運転ＯＦＦの情報を受けると、スマートフォン３００に運転が停止された旨の情報を送信する。
【００６０】
図９（Ｃ）に示すように、空気清浄機２００の周囲が暗くても、空気清浄機２００の周囲に人がいても、空気清浄機２００の周囲の温度が低くても、空気清浄機２００の周囲の湿度が低くても、ユーザが空気清浄機２００に直接的に風量の変更命令を入力すると、空気清浄機２００が当該命令に基づいて風量を変更する。
【００６１】
図９（Ｄ）に示すように、ユーザが、スマートフォン３００の空気清浄機を遠隔制御するためのアプリケーションプログラムに空気清浄機２００に対する風量の変更命令を入力すると、当該アプリケーションプログラムはサーバ１００に空気清浄機２００に対する風量の変更命令を送信する。本実施の形態においては、空気清浄機２００の周囲が暗い場合や、空気清浄機２００の周囲に人がいる場合や、空気清浄機２００の周囲の温度が低すぎた場合や、空気清浄機２００の周囲の湿度が低すぎたりした場合は、遠隔からの風量の変更命令が許可されていない。そのためサーバ１００は、空気清浄機２００からのデータに基づいて、このような条件に合致した場合には、風量の変更の遠隔操作が許可されなかった旨の情報とその原因を示す情報とをスマートフォン３００に送信する。スマートフォン３００は、図１６〜図１９に示すように、風量の変更の遠隔操作が許可されなかった旨の情報とその原因とをディスプレイに表示する。
【００６２】
より詳細には、図３に戻って、照明センサとしてのセンサ２７０は、ＣＰＵ２１０からの信号に基づいて、空気清浄機２００の周囲の明るさを検知して、検知結果をＣＰＵ２１０に入力する。本実施の形態においては、ＣＰＵ２１０は、サーバ１００からの要求に応じて、センサ２７０から空気清浄機２００の周囲の明るさを示すデータを取得し、通信インターフェイス２６０を介して当該データをサーバ１００に送信する。
【００６３】
あるいは、人感センサとしてのセンサ２７０は、ＣＰＵ２１０からの信号に基づいて、空気清浄機２００の周囲の人を検知して、検知結果をＣＰＵ２１０に入力する。本実施の形態においては、ＣＰＵ２１０は、サーバ１００からの要求に応じて、センサ２７０から空気清浄機２００の周囲の人の有無を示すデータを取得し、通信インターフェイス２６０を介して当該データをサーバ１００に送信する。
【００６４】
あるいは、温度センサとしてのセンサ２７０は、ＣＰＵ２１０からの信号に基づいて、空気清浄機２００の周囲の温度を検知して、検知結果をＣＰＵ２１０に入力する。本実施の形態においては、ＣＰＵ２１０は、サーバ１００からの要求に応じて、センサ２７０から空気清浄機２００の周囲の温度を示すデータを取得し、通信インターフェイス２６０を介して当該データをサーバ１００に送信する。
【００６５】
あるいは、湿度センサとしてのセンサ２７０は、ＣＰＵ２１０からの信号に基づいて、空気清浄機２００の周囲の湿度を検知して、検知結果をＣＰＵ２１０に入力する。本実施の形態においては、ＣＰＵ２１０は、サーバ１００からの要求に応じて、センサ２７０から空気清浄機２００の周囲の湿度を示すデータを取得し、通信インターフェイス２６０を介して当該データをサーバ１００に送信する。
【００６６】
本実施の形態においては、図２０に示すように、各種センサによる測定結果毎に、空気清浄機２００に対する遠隔操作が可能な命令や不可能な命令が規定される。
【００６７】
次に、図２１を参照しながら、本実施の形態にかかるサーバ１００における情報処理について説明する。サーバ１００のＣＰＵ１１０は、通信インターフェイス１６０を介して、スマートフォン３００からデータを受信すると、以下の処理を実行する。なお、ステップＳ１１６までの処理は、第１の実施の形態のそれらと同様であるため、ここではそれらの説明を繰り返さない。
【００６８】
ステップＳ１１６の後、本実施の形態においては、ＣＰＵ１１０は、空気清浄機管理データ１２２Ｂを参照して、制御対象の空気清浄機２００が発令中の警告を特定する（ステップＳ１１８）。ＣＰＵ１１０は、通信インターフェイス１６０を介して、空気清浄機２００に各種センサによる測定結果を要求する（ステップＳ１１９）
【００６９】
ＣＰＵ１１０は、制御対象の空気清浄機２００が発令中の警告や空気清浄機２００の測定結果に基づいて、今回スマートフォン３００から受け付けた命令が遠隔操作として許可されているか否かを判断する（ステップＳ１２２Ｃ）。ステップＳ１２２Ｃ以降の処理は、第１の実施の形態のステップＳ１２２以降の処理と同様であるため、ここではそれらの説明を繰り返さない。
＜第４の実施の形態＞
【００７０】
本実施の形態においては、さらに、現在時刻にも基づいて、遠隔から受け付けられる操作命令の種類が決められるものである。たとえば、図２２に示すように、２２時から６時までの間は、空気清浄機２００の風量や運転音を大きくするための遠隔操作が受け付けられないように設計されてもよい。
【００７１】
本実施の形態においては、図２３に示すように、現在の時間帯毎に、空気清浄機２００に対する遠隔操作が可能な命令や不可能な命令が規定される。
【００７２】
そして、図２４を参照しながら、本実施の形態にかかるサーバ１００のＣＰＵ１１０は、ステップＳ１１９の後に、時計１５０から現在時刻を取得する（ステップＳ１２０）。ＣＰＵ１１０は、制御対象の空気清浄機２００が発令中の警告や空気清浄機２００の測定結果や現在時刻に基づいて、今回スマートフォン３００から受け付けた命令が遠隔操作として許可されているか否かを判断する（ステップＳ１２２Ｄ）。なおその他の処理は、第１〜３の実施の形態のそれらと同様であるため、ここではそれらの説明を繰り返さない。
＜第５の実施の形態＞
【００７３】
さらに、現在実行中の運転モードにも基づいて、遠隔から受け付けられる操作命令の種類が決められてもよい。たとえば、スマートフォン３００は、図２５に示すように、現在の運転モードと遠隔操作が許可されない旨の情報をディスプレイに表示する。この場合は、図２６に示すように、運転モード毎に、空気清浄機２００に対する遠隔操作が受け付けられない操作命令が規定される。
＜第６の実施の形態＞
【００７４】
第１〜第５の実施の形態の空気清浄システム１の各装置の役割の一部または全部を他の装置が実行してもよい。たとえば、サーバ１００や空気清浄機２００やスマートフォン３００の各々の役割の一部または全部を別の装置が担ったり、サーバ１００や空気清浄機２００やスマートフォン３００の各々の役割の一部または全部を複数の装置で担ったり、サーバ１００や空気清浄機２００やスマートフォン３００のいずれかがサーバ１００や空気清浄機２００やスマートフォン３００のいずれかの役割の一部または全部を担ったりしてもよい。
【００７５】
具体的には、図２７に示すように、スマートフォン３００からの命令をサーバ１００が空気清浄機２００に送信し、空気清浄機２００が、サーバ１００から送られてきたスマートフォン３００の命令を実行するか否かを判断してもよい。この場合は、空気清浄機２００のメモリ２２０が、サーバ１００のデータの一部または全部を記憶する。そして、図２８に示すように、空気清浄機２００は、以下の処理を実行する。
【００７６】
空気清浄機２００のＣＰＵ２１０は、通信インターフェイス２６０を介してサーバ１００から受信したデータから空気清浄機２００に対する命令を特定する（ステップＳ２１６）。ＣＰＵ２１０は、発令中の警告を特定する（ステップＳ２１８）。ＣＰＵ２１０は、各種センサによる測定結果を取得する（ステップＳ２１９）。そして、ＣＰＵ２１０は、時計２５０から現在時刻を取得する（ステップＳ２２０）。
【００７７】
ＣＰＵ２１０は、発令中の警告や測定結果や現在時刻に基づいて、今回スマートフォン３００から受け付けた命令が遠隔操作として許可されているか否かを判断する（ステップＳ２２２）。受け付けた命令が遠隔操作として許可されている場合（ステップＳ２２２にてＹＥＳである場合）、ＣＰＵ２１０は、当該命令に基づいて機器駆動部２９０を制御する（ステップＳ２２４）。この場合は、空気清浄機２００からの返信に基づいて、制御命令が空気清浄機２００に実行された旨をスマートフォン３００が表示することが好ましい。
【００７８】
一方、受け付けた命令が遠隔操作として許可されていない場合（ステップＳ２２２にてＮＯである場合）、ＣＰＵ２１０は、通信インターフェイス２６０を介して、遠隔操作では命令を実行不可能である旨の情報をサーバ１００を介してスマートフォン３００に送信する（ステップＳ２２４）。この場合は、スマートフォン３００は、図２に示すように、入力された命令が遠隔操作では実行不可能である旨を出力する。
【００７９】
あるいは、図２９に示すように、スマートフォン３００などの通信端末のアプリケーションプログラムが空気清浄機２００に対する命令を有効に受け付けるか否かを判断してもよい。この場合は、スマートフォン３００のメモリ３２０が、サーバ１００のデータの一部または全部を記憶する。そして、図３０に示すように、スマートフォン３００のＣＰＵ３１０は、以下の処理を実行する。
【００８０】
ＣＰＵ３１０は、空気清浄機２００を遠隔から制御するためのアプリケーションプログラムに基づいて、操作部３４０を介してユーザから命令を受け付ける（ステップＳ３１６）。ＣＰＵ３１０は、通信インターフェイス３６０を介して、制御対象の空気清浄機２００から、現在発令中の警告や空気清浄機２００の各種センサによる測定結果を取得する（ステップＳ３１８、ステップＳ３１９）。そして、ＣＰＵ３１０は、時計３５０から現在時刻を取得する（ステップＳ３２０）。
【００８１】
ＣＰＵ１１０は、制御対象の空気清浄機２００が発令中の警告や空気清浄機２００の測定結果や現在時刻に基づいて、今回受け付けた命令が遠隔操作として許可されているか否かを判断する（ステップＳ３２２）。受け付けた命令が遠隔操作として許可されている場合（ステップＳ１２２にてＹＥＳである場合）、ＣＰＵ３１０は、通信インターフェイス３６０を介して、制御対象の空気清浄機２００に当該命令を送信する（ステップＳ３２４）。この場合は、空気清浄機２００からの返信に基づいて、ＣＰＵ３１０は、制御命令が空気清浄機２００に実行された旨をディスプレイ３３０に表示させることが好ましい。
【００８２】
一方、受け付けた命令が遠隔操作として許可されていない場合（ステップＳ３２２にてＮＯである場合）、ＣＰＵ３１０は、たとえば図２に示すように、遠隔操作では実行不可能である旨の情報をディスプレイ３３０に表示させる（ステップＳ３２４）。
＜まとめ＞
【００８３】
上記の第１から第６の実施の形態においては、空気清浄機２００と、空気清浄機２００を制御するためのサーバ１００と、サーバ１００を介して空気清浄機２００を遠隔制御するための端末３００と、を備える空気清浄システム１が提供される。空気清浄機２００の状態に応じて、端末３００から空気清浄機２００に対して可能な遠隔操作の種類が異なる。
【００８４】
好ましくは、空気清浄機２００の運転開始時における、空気清浄機２００に対して可能な直接的操作の種類よりも、端末３００から空気清浄機２００に対して可能な遠隔操作の種類の方が少ない。
【００８５】
好ましくは、空気清浄機２００の警告状態に応じて、端末３００から空気清浄機２００に対して可能な遠隔操作の種類が変わる。
【００８６】
好ましくは、空気清浄機２００の周囲に人がいるか否かに応じて、端末３００から空気清浄機２００に対して可能な遠隔操作の種類が変わる。
【００８７】
好ましくは、空気清浄機２００の温度センサまたは湿度センサによって取得される測定結果に応じて、端末３００から空気清浄機２００に対して可能な遠隔操作の種類が変わる。
【００８８】
好ましくは、空気清浄機２００の照度センサによって取得される測定結果に応じて、端末３００から空気清浄機２００に対して可能な遠隔操作の種類が変わる。
【００８９】
好ましくは、現在の時刻に応じて端末３００からの空気清浄機２００に対して可能な遠隔操作の種類が変わる。
【００９０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００９１】
１          ：空気清浄システム
１００      ：サーバ
１１０      ：ＣＰＵ
１２０      ：メモリ
１２１      ：制御命令データ
１２２      ：空気清浄機管理データ
１２３      ：制限データ
１３０      ：ディスプレイ
１４０      ：操作部
１５０      ：時計
１６０      ：通信インターフェイス
２００      ：空気清浄機
２１０      ：ＣＰＵ
２２０      ：メモリ
２３０      ：ディスプレイ
２４０      ：操作部
２５０      ：時計
２６０      ：通信インターフェイス
２７０      ：センサ
２８０      ：赤外線受光部
２９０      ：機器駆動部
３００      ：スマートフォン
３１０      ：ＣＰＵ
３２０      ：メモリ
３３０      ：ディスプレイ
３４０      ：操作部
３５０      ：時計
３６０      ：通信インターフェイス
【図１】
2019039570.tif 000003
【図２】
2019039570.tif 000004
【図３】
2019039570.tif 000005
【図４】
2019039570.tif 000006
【図５】
2019039570.tif 000007
【図６】
2019039570.tif 000008
【図７】
2019039570.tif 000009
【図８】
2019039570.tif 000010
【図９】
2019039570.tif 000011
【図１０】
2019039570.tif 000012
【図１１】
2019039570.tif 000013
【図１２】
2019039570.tif 000014
【図１３】
2019039570.tif 000015
【図１４】
2019039570.tif 000016
【図１５】
2019039570.tif 000017
【図１６】
2019039570.tif 000018
【図１７】
2019039570.tif 000019
【図１８】
2019039570.tif 000020
【図１９】
2019039570.tif 000021
【図２０】
2019039570.tif 000022
【図２１】
2019039570.tif 000023
【図２２】
2019039570.tif 000024
【図２３】
2019039570.tif 000025
【図２４】
2019039570.tif 000026
【図２５】
2019039570.tif 000027
【図２６】
2019039570.tif 000028
【図２７】
2019039570.tif 000029
【図２８】
2019039570.tif 000030
【図２９】
2019039570.tif 000031
【図３０】
2019039570.tif 000032